(57)【要約】【課題】  通信相手装置が特別な機能を有さない場合であっても、該通信相手装置での装置認識の容易化を図ることのできる通信装置を提供する。【解決手段】  サーバデバイスとして機能する通信装置であって、他の通信装置と通信する通信手段と、ユーザからの操作入力を受ける操作手段と、第１のデバイス状態での操作手段からの操作入力に伴い、デバイス機能の停止を通知する第１のコマンドを通信手段を用いて送信する第１のコマンド処理手段と、第１のコマンド送信後、デバイス機能の開始を通知する第２のコマンドを通信手段を用いて送信する第２のコマンド処理手段と、第２のコマンド送信後、他の通信装置からの要求に応じて、第１のデバイス状態とは異なる第２のデバイス状態である旨を示すデバイス情報を他の通信装置に送信する第３のコマンド処理手段とを備える。【選択図】      図４
2010086353.tif 000002
【特許請求の範囲】
【請求項１】
サーバデバイスとして機能する通信装置であって、
他の通信装置と通信する通信手段と、
ユーザからの操作入力を受ける操作手段と、
第１のデバイス状態での前記操作手段からの操作入力に伴い、デバイス機能の停止を通知する第１のコマンドを前記通信手段を用いて送信する第１のコマンド処理手段と、
前記第１のコマンド送信後、デバイス機能の開始を通知する第２のコマンドを前記通信手段を用いて送信する第２のコマンド処理手段と、
前記第２のコマンド送信後、前記他の通信装置からの要求に応じて、前記第１のデバイス状態とは異なる前記第２のデバイス状態である旨を示すデバイス情報を前記他の通信装置に送信する第３のコマンド処理手段と
を備えることを特徴とする通信装置。
【請求項２】
前記第１乃至第２のコマンド、及び前記デバイス情報は、規格で規定されていること
を特徴とする請求項１記載の通信装置。
【請求項３】
前記第１のデバイス状態及び前記第２のデバイス状態は、デバイス名称に係る状態であること
を特徴とする請求項２記載の通信装置。
【請求項４】
前記第１のデバイス状態及び前記第２のデバイス状態は、デバイスアイコンに係る状態であること
を特徴とする請求項２記載の通信装置。
【請求項５】
サーバデバイスとして機能する通信装置であって、
他の通信装置と通信する通信手段と、
ユーザからの操作入力を受ける操作手段と、
第１のサーバデバイス機能時に、前記操作手段からの操作入力に伴い、第１のサーバデバイスとは異なる第２のサーバデバイスとしてのデバイス機能の開始を通知するコマンドを送信する第１のコマンド処理手段と、
前記コマンド送信後、前記他の通信装置からの要求に応じて、前記第２のサーバデバイスとしてのデバイス情報を前記他の通信装置に送信する第２のコマンド処理手段と
を備えることを特徴とする通信装置。
【請求項６】
前記第１のサーバデバイスは、前記他の装置からのコンテンツ受信機能を持たず、前記第２のサーバデバイスは、前記他の装置からのコンテンツ受信機能を有すること
を特徴とする請求項５記載の通信装置。
【請求項７】
前記第１及び第２のコマンドは、規格で規定されたコマンドであること
を特徴とする請求項６記載の通信装置。
【請求項８】
前記第１のサーバデバイス及び前記第２のサーバデバイスは、識別情報が異なること
を特徴とする請求項７記載の通信装置。
【発明の詳細な説明】
【技術分野】
【０００１】
本発明は、他の通信装置と通信する通信装置に関する。
【背景技術】
【０００２】
ホームネットワーク技術として、ＤＬＮＡ（Ｄｉｇｉｔａｌ  Ｌｉｖｉｎｇ  Ｎｅｔｗｏｒｋ  Ａｌｌｉａｎｃｅ）が策定するＤＬＮＡガイドラインが発行され、現在、対応機器も普及しつつある。ＤＬＮＡガイドラインの対応装置間では、例えば、送信装置が有するコンテンツデータ（映像データや音声データ等）を受信装置でストリーミング再生したり、送信装置に記録されたコンテンツデータを受信装置に複製／移動したりすることができる。
【０００３】
ここで、使用している装置に記録されたコンテンツデータを、ネットワークを介して接続された他の装置に送信する場合を考えると、通常、ユーザは送信対象となる装置を選択し、その選択した装置へのコンテンツデータの送信を指示することとなる。ここで、通信相手となる装置を選択する際には、ネットワークに接続された全ての装置をリストとして表示し、この中から装置を選択するのが一般的である。しかしながら、リスト上に表示される装置名称等の情報は、初期設定では製品型番等が使用されることが多いため、どの項目がどの装置に対応するのかをユーザが把握することは困難である。
【０００４】
そこで、特許文献１記載の装置では、機器リストのうち一つの項目がユーザから選択されると、当該項目に対応する装置に対して機器報知を要請し、当該機器からユーザに対して音声やメッセージボックスの表示等の動作によってユーザに報知させることにより、選択した項目に対応する装置をユーザに認知することのできる装置が開示されている。
【特許文献１】特開２００６−１３４３１５号公報
【発明の開示】
【発明が解決しようとする課題】
【０００５】
しかしながら、特許文献１記載の装置で機器報知を要請するコマンドは、規格で定められたものではなく、独自拡張されたコマンドである。よって、受信側装置、送信側装置の双方で当該コマンドに対応している必要があるため、一般性に欠けるという課題があった。
【０００６】
そこで本発明は、通信相手装置が特別な機能を有さない場合であっても、該通信相手装置での装置認識の容易化を図ることのできる通信装置を提供することを目的とする。
【課題を解決するための手段】
【０００７】
上記目的を達成するために、請求項１記載の通信装置は、サーバデバイスとして機能する通信装置であって、他の通信装置と通信する通信手段と、ユーザからの操作入力を受ける操作手段と、第１のデバイス状態での前記操作手段からの操作入力に伴い、デバイス機能の停止を通知する第１のコマンドを前記通信手段を用いて送信する第１のコマンド処理手段と、前記第１のコマンド送信後、デバイス機能の開始を通知する第２のコマンドを前記通信手段を用いて送信する第２のコマンド処理手段と、前記第２のコマンド送信後、前記他の通信装置からの要求に応じて、前記第１のデバイス状態とは異なる前記第２のデバイス状態である旨を示す第３のコマンドを前記他の通信装置に送信する第３のコマンド処理手段とを備えることを特徴とする。
【０００８】
請求項５記載の通信装置は、サーバデバイスとして機能する通信装置であって、他の通信装置と通信する通信手段と、ユーザからの操作入力を受ける操作手段と、第１のサーバデバイス機能時に、前記操作手段からの操作入力に伴い、第１のサーバデバイスとは異なる第２のサーバデバイスとしてのデバイス機能の開始を通知するコマンドを送信する第１のコマンド処理手段と、前記コマンド送信後、前記他の通信装置からの要求に応じて、前記第２のサーバデバイスとしてのデバイス状態を前記他の通信装置に送信する第２のコマンド処理手段とを備えることを特徴とする。
【発明の効果】
【０００９】
本発明によれば、通信相手装置が特別な機能を有さない場合であっても、該通信相手装置での装置認識の容易化を図ることのできる通信装置を提供することができる。
【発明を実施するための最良の形態】
【００１０】
以下、本発明の通信装置について、図面を参照しながら説明する。
（第１の実施形態）
図１は、本発明の第１の実施形態である通信装置が使用される通信システムの構成を示す図である。
通信システム１０は、通信装置１０１、１１１、１１２、及び１１３から構成され、通信装置１０１、１１１、１１２、及び１１３は、其々ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）により通信が行われるネットワーク１２０に接続されている。通信装置１０１、１１１、１１２、及び１１３は、其々コンテンツデータの送受信等を行う機能を有しているが、以下、通信装置１０１がコンテンツデータの送信側の装置、通信装置１１１乃至１１３をコンテンツデータの受信側であるものとして説明を行う。
【００１１】
尚、通信装置１０１、１１１、１１２、及び１１３は、其々ＤＬＮＡガイドラインに対応したＡＶ（Ａｕｄｉｏ  Ｖｉｓｕａｌ）機器である。ＤＬＮＡガイドラインは、ＵＰｎＰを要素技術の１つとして利用しているので、通信装置１０１、１１１、１１２、及び１１３は、其々ＵＰｎＰにも対応している。
【００１２】
ＵＰｎＰでは、ネットワークの基本構成として、デバイス、サービス、コントロールポイントが定義されている。デバイスはＵＰｎＰに対応した装置であり、サービスはデバイスが提供する機能を表す最小単位である。各デバイスは、最低１つのサービスを有している。コントロールポイントは、デバイスの持っているサービスを制御し、利用するものである。また、ひとつの装置の中に複数のデバイス機能を持たせることもでき、更に、コントロールポイントとデバイスとが一体となっている装置を考えることもできる。
【００１３】
本実施例では、通信装置１０１、１１１、１１２、１１３の各装置はサーバデバイスとして機能し、更に、少なくとも、送信側の装置である送信装置１０１は、コントロールポイントとしての機能も有するものとして説明を行う。
【００１４】
次に、図２を参照しながら、通信装置１１１の構成について説明する。
通信装置１１１は、制御部２０１と、操作部２０２と、表示部２０３と、記憶媒体２０４と、デジタルＩ／Ｆ（Ｉｎｔｅｒｆａｃｅ）部２０５と、受信制御部２０６と、書込部２０７と、読込部２０８と、送信制御部２０９とを有する。
【００１５】
制御部２０１は、受信装置１１１の各構成を統括制御する。特に、操作部２０２からのユーザの操作入力に応じ、コンテンツデータの受信／送信に係る制御や、ＵＰｎＰに係る各種コマンドの送受信に係る制御、つまり、通信装置１１１がサーバデバイスとして機能するためのコマンド処理を行う。ここで、ＵＰｎＰに係る各種制御コマンドの送受信は、コマンド処理部２０１ａが行うものとする。
【００１６】
コマンド処理部２０１ａは、デバイス機能の開始時（ネットワーク１２０への接続時等も含む）には、デバイス機能の提供開始を通知するために、ＵＰｎＰ  ａｄｖｅｒｔｉｓｅメッセージ（以下、単にアドバタイズメッセージとも称する）をネットワーク上の各装置にマルチキャストする。この、アドバタイズメッセージには、各デバイスに対して固有な値を持つＵＵＩＤ（Ｕｎｉｖｅｒｓａｌｌｙ  Ｕｎｉｑｕｅ  ＩＤｅｎｔｉｆｉｅｒ）、当該デバイスに係るデバイス情報（デバイスディスクリプション）にアクセスするためのＵＲＬ（Ｕｎｉｆｏｒｍ  Ｒｅｓｏｕｒｃｅ  Ｌｏｃａｔｏｒ）情報（ＩＰアドレス、ポート番号等の情報を含む）等が記載される。
【００１７】
また、コマンド処理部２０１ａは、アドバタイズメッセージで他のデバイスへ通知したＵＲＬへのアクセスにより、デバイス情報の取得が要求された場合には、デバイス名（ＦｒｉｅｎｄｌｙＮａｍｅ）、デバイスアイコン（ＤｅｖｉｃｅＩｃｏｎ）、メーカー、サービスの機能、コントロールのためのＵＲＬやコマンド等がＸＭＬ形式で記述されたデバイス情報を送信する。
【００１８】
更に、コマンド処理部２０１ａは、デバイス機能の停止時には、デバイス機能の停止を通知するためのＵＰｎＰ  ｂｙｅｂｙｅメッセージ（以下、単にバイバイメッセージとも称する）を、ネットワーク１２０上の各装置にマルチキャストする。バイバイメッセージにはデバイスを識別するためのＵＵＩＤが記載されているので、当該を受信した通信装置１０１、１１２、１１３は、通信装置１１１のデバイス機能が停止し、利用できなくなったことを知ることができ、ネットワーク上の利用できるデバイスリストの中から、当該デバイスを削除することになる。
【００１９】
これらのアドバタイズメッセージやバイバイメッセージ等のコマンド、デバイス情報は、全てＵＰｎＰ規格準拠であるので、ＵＰｎＰ（ＤＬＮＡガイドライン）対応の受信装置であれば受信し、解析することが可能である。
【００２０】
操作部２０２は、ユーザからの操作入力を受けるためのユーザインタフェースである。例えば、リモコンからの信号を受信するリモコン受光部や、専用の操作ボタン、表示部２０３上に表示されるボタン等であることが考えられる。本実施例では、操作部２０２での操作（例えばボタン押下）により、ユーザが状態変更を指示すると、その旨をコマンド処理部２０１ａへ通知し、コマンド処理部２０１ａは、バイバイメッセージ及びアドバタイズメッセージをマルチキャストにより送信する。この処理の詳細については、図４を参照しながら後述する。
【００２１】
表示部２０３は、例えばＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｎｃｅ）等であり、表示部２０１ｂによる制御の下、必要に応じてメニュー画面等を表示する。尚、受信側の装置である通信装置１１１では、必ずしも表示部２０３及び表示制御部２０１ｂを備えている必要は無い。
【００２２】
記憶媒体２０４は、コンテンツデータ２０４ａを記憶する不揮発性の記憶媒体である。ここで、記憶媒体２０４が通信装置１１１に内蔵されているか、着脱可能に設けられているかは問わない。記憶媒体２０４へは、例えば通信装置１０１から受信したコンテンツデータが書込部２０７により書き込まれたり、他の装置へ送信するコンテンツデータが読込部２０８により読み込まれたりする。
【００２３】
デジタルＩ／Ｆ部２０５は、ネットワーク１２０を介して他の通信装置とＴＣＰ／ＩＰにより通信を行うインタフェースである。デジタルＩ／Ｆ部２０５は、各種コマンドやコンテンツデータを他の通信装置から受信すると共に、各種コマンドやコンテンツデータを送信する。
【００２４】
受信制御部２０６は、デジタルＩ／Ｆ部２０５で通信装置１０１等の他の通信装置からのコンテンツデータや、コマンド受信等の処理を制御部２０１からの制御に従って行う。受信制御部２０６を使用して受信したコンテンツデータは、書込部２０７により記憶媒体２０４に書き込まれる。また、受信制御部２０６を使用して受信したコマンドは、コマンド処理部２０１ａへ渡されて処理される。
【００２５】
送信制御部２０９は、デジタルＩ／Ｆ部２０５から他の通信装置へ送信されるコンテンツデータや、コマンド送信等の処理を制御部２０１からの制御に従って行う。送信制御部２０９が送信するコンテンツデータは、読込部２０８が記憶媒体２０４から読み込むコンテンツデータであり、送信制御部２０９が送信するコマンドは、コマンド処理部２０１ａからの指示により送信するコマンドである。
【００２６】
尚、本実施例において、送信側の装置である通信装置１０１も、図２と同様の構成を有する。以下、通信装置１０１の構成について、通信装置１１１との機能の違い、特に装置選択画面に着目しながら説明する。
【００２７】
制御部２０１は表示制御部２０１ｂを有し、表示制御部２０１ｂは、必要に応じて表示部２０３にメニュー画面等を表示させる。特に、コンテンツデータのアップロードの際には、表示制御部２０１ｂはアップロードするコンテンツデータのリストを表示させたり、送信先（伝送先）の装置を選択するための装置のリストを表示させたりする。
【００２８】
図３は、送信先の装置を選択するための装置選択画面の例を示す図である。この装置選択画面は、表示制御部２０１ｂによる制御の下、表示部２０３に表示される。図３（ａ）〜（ｃ）の其々の違いについては図４を参照しながら後に詳述するが、図３（ａ）の例であれば、コンテンツデータの受信側の装置である、通信装置１１１乃至１１３のデバイス名（図３の例であれば、それぞれ「Ｗ６２０Ｔ」、「Ｗ６２０Ｔ」、「ＲＤ−Ｘ７０」）が制御部２０１による制御下表示され、操作部２０２からの操作により選択可能となっている。ここで、通信装置１１１乃至１１３のデバイス名は、各装置のデバイス情報（デバイスディスクリプション）をコマンド取得部２０１ａが取得することにより知ることができる。
【００２９】
尚、本実施例では、通信装置１０１、１１１、１１２、１１３の各装置は図２と同様の構成を有し、特に、コンテンツデータの送信／受信のいずれの機能も有しているものとして説明を行ったが、これに限られるものではない。例えば、送信側の装置である通信装置１０１はコンテンツデータの受信に係る機能を必ずしも備えている必要は無く、受信側の装置である通信装置１１１乃至１１３は、コンテンツデータの送信に係る機能を必ずしも備えている必要はない。
【００３０】
次に、通信装置１０１から通信装置１１１へコンテンツデータを送信する際の、装置選択の処理の流れについて図４を参照しながら説明する。図４は、コンテンツ送信側である通信装置１０１及びコンテンツ受信側である通信装置１１１の装置選択に係る処理の流れを示すフローチャートである。尚以下の説明において、通信装置１１１のデバイス名称は「Ｗ６２０Ｔ」であるものとする。
【００３１】
送信側の通信装置１０１は、表示制御部２０１ｂによる制御の下、コンテンツ受信側の装置を選択するための選択画面を表示部２０３に表示する。図３（ａ）は、Ｓ４１１において表示制御部２０１ｂが表示させる装置選択画面の例を示す図である。この図において、通信装置１１１乃至１１３に対応するデバイス名称である「Ｗ６２０Ｔ」「Ｗ６２０Ｔ」「ＲＤ−Ｘ７０」の各名称が記載された項目が選択可能に表示されている。
【００３２】
一般に、このような装置のリストを表示する場合には、デバイス情報（デバイスディスクリプション）から取得可能なデバイス名称（ＦｒｉｅｎｄｌｙＮａｍｅ）等が項目上に表示される。デバイス名称には通常、初期設定のままでは製品型番が使用されることが多いが、これは一般ユーザには覚えにくく、装置と対応の名称をつけづらい。また、同じ機種が複数台ある場合には、図３（ａ）のように完全に同じ表記となってしまうため、ユーザは区別することができなくなる。
【００３３】
そこで本実施形態ではユーザ操作に応じてデバイス名称を変化させることによりユーザに対応を認識させる。まず、受信側の通信装置１１１では、操作部２０２からの操作入力により状態変更の指示を受けると（Ｓ４２１のＹｅｓ）、それに応じてバイバイメッセージをネットワーク１２０上の各装置にマルチキャストで送信してデバイス機能の停止を通知する（Ｓ４２２）。この後、状態変更（デバイス情報に記載するデバイス名称の変更）を行ってから（Ｓ４２３）、アドバタイズメッセージをマルチキャストしてデバイス機能の再開始をネットワーク１２０上の各装置に通知する（Ｓ４２４）。尚、本実施形態において、Ｓ４２３の状態変更では、デバイス名称を「Ｗ６２０Ｔ」から「★Ｗ６２０Ｔ★」に変更しているものとする。
【００３４】
送信側の通信装置１０１では、受信装置を選択するための装置選択画面の表示中にバイバイメッセージを通信装置１１１からコマンド処理部２０１ａが受信すると（Ｓ４１２のＹｅｓ）、通信装置１１１のデバイス機能が停止した、即ちコンテンツデータを送信できなくなったものと判断し、表示制御部２０１ｂは装置選択画面を更新する（Ｓ４１３）。図３（ｂ）は、Ｓ４１３で送信側の通信装置１０１の表示部２０３に表示される画面の例である。Ｓ４１１での画面である図３（ａ）と比較すると、デバイス機能を停止した通信装置１１１に相当するデバイス名称「Ｗ６２０Ｔ」の項目が減り、残る「Ｗ６２０Ｔ」「ＲＤ−Ｘ７０」の２つの項目だけが残っていることがわかる。
【００３５】
この後、送信側の通信装置１０１のコマンド処理部２０１ａがアドバタイズメッセージを受信側の通信装置１１１から受信すると（Ｓ４１４のＹｅｓ）、通信装置１１１がデバイス機能の提供を開始したことを認識することができるので、当該アドバタイズメッセージに記載されているデバイス情報のＵＲＬに対してデバイス情報の取得要求を行う（Ｓ４１５）。
【００３６】
受信側の通信装置１１１のコマンド処理部２０１ａは、デバイス情報の取得要求を受信すると（Ｓ４２５のＹｅｓ）、それに対する応答としてデバイス情報を送信側の通信装置１０１に送信する（Ｓ４２６）。尚、ここで送信するデバイス情報には、デバイス名称（ＦｒｉｅｎｄｌｙＮａｍｅ）が記載されるが、この名称は、Ｓ４２３において、Ｓ４２２以前のデバイス名称である「Ｗ６２０Ｔ」から「★Ｗ６２０Ｔ★」に変更される。尚このときの変更後のデバイス名称は、変更されていることがわかりやすいものとするのが好適である。
【００３７】
送信側の通信装置１０１では、Ｓ４１５でのデバイス情報取得要求により正常にデバイス情報を取得できると（Ｓ４１６のＹｅｓ）、当該デバイス情報を用いて、表示制御部２０１ｂが表示させる装置選択画面に通信装置１１１のデバイス機能に関する項目を追加する（Ｓ４１７）。
【００３８】
図３（ｃ）はＳ４１７で送信側の通信装置１０１の表示制御部２０１ｂが表示させる装置選択画面の例である。Ｓ４１３で表示される画面である図３（ｂ）の画面と比較すると、通信装置１１１に相当するデバイス名称「★Ｗ６２０Ｔ★」の項目が増えている。また、Ｓ４１１で表示される画面である図３（ａ）の画面と比較すると、通信装置１１１に相当する項目の名称が、「Ｗ６２０Ｔ」から「★Ｗ６２０Ｔ★」に変化していることがわかる。これにより、Ｓ４２１での受信側の通信装置１１１の操作部２０２での操作前後で装置名称が変化している項目が、当該通信装置１１１に対応する項目であることを認識することができるようになる。
【００３９】
以上説明したように、本実施形態によれば、受信側の通信装置１１１を操作すると、デバイス情報を変更した後、当該デバイス情報の変更が送信側の通信装置１０１に通知される。これにより、送信側の通信装置１０１でコンテンツ送信先のリストが表示された状態で、受信側の通信装置１１１のデバイス情報を変更するべく操作することで、リスト上の該当する装置の項目に変化が起きる。これにより、ユーザは、実物とリスト上の項目とを容易に対応付けることができるようになる。
【００４０】
特に、バイバイメッセージやアドバタイズメッセージ、デバイス情報の取得等の各種コマンド／処理はＵＰｎＰ規格準拠のものであるため、送信側の通信装置１０１に特別な実装を行わずとも、受信側の通信装置１１１がデバイス情報の更新等の処理を行うだけで対応することができるようになる。
【００４１】
尚、上述の実施形態においては、操作部２０２からの状態変更指示の操作入力に応じて、デバイス情報に記載されるデバイス名称（ＦｒｉｅｎｄｌｙＮａｍｅ）を変化させることとしているが、これに限られるものではない。例えば、同様に、送信側の通信装置１０１で装置選択画面として表示されることの多い、デバイス画像（ＤｅｖｉｃｅＩｃｏｎ）を変化させるようにしても、同様の効果を得ることができる。このとき、変化させるデバイス画像は、変化したことがわかりやすいアイコン画像にするのが好ましい。
【００４２】
（第２の実施形態）
以下、第２の実施形態について説明する。通信システムの装置構成、及び通信装置の構成は第１の実施形態と同様であるので、説明を省略する。また、第１の実施形態と同様の構成については、第１の実施形態と同じ符号を用いて説明を行う。
【００４３】
第１の実施形態では、操作手段によるユーザ操作に応じてデバイス情報を変更していたが、本実施形態では、操作手段によるユーザ操作に応じて新たなデバイス機能を立ち上げる。以下、本実施形態に係る通信装置１０１から通信装置１１１へコンテンツデータを送信する際の、装置選択の処理の流れについて図５を参照しながら説明する。図５は、コンテンツ送信側である通信装置１０１及びコンテンツ受信側である通信装置１１１の装置選択に係る処理の流れを示すフローチャートである。尚以下の説明において、通信装置１１１のデバイス名称は「Ｗ６２０Ｔ」であるものとする。
【００４４】
送信側の通信装置１０１は、表示制御部２０１ｂによる制御の下、コンテンツ受信側の装置を選択するための選択画面を表示部２０１に表示する（Ｓ５１１）。このとき表示される画面は、第１の実施形態で説明した図３（ａ）と同様であり、通信装置１１１乃至１１３に対応するデバイス名称である「Ｗ６２０Ｔ」「Ｗ６２０Ｔ」「ＲＤ−Ｘ７０」の各名称が記載された項目が選択可能に表示されている。
【００４５】
受信側の通信装置１１１では、操作部２０２からの操作入力を受けると（Ｓ５２１のＹｅｓ）、従来コマンド処理部２０１ａが立ち上げているデバイス機能（以下、第１のデバイス機能とも称する）とはＵＵＩＤの異なるデバイス機能（以下、第２のデバイス機能とも称する）をコマンド処理部２０１ａで立ち上げる（Ｓ５２２）。第２のデバイス機能は、少なくともコンテンツデータの受信機能を有する。尚ここで、第２のデバイス機能のデバイス名称は「新規Ｗ６２０Ｔ」であるものとする。
【００４６】
更に、コマンド処理部２０１ａは、新たに立ち上げた第２のデバイス機能に関するアドバタイズメッセージをネットワーク１２０上の各装置にマルチキャストで送信して第２のデバイス機能の開始を通知する（Ｓ５２３）。当該アドバタイズメッセージには、第２のデバイス機能に関するＵＵＩＤの情報や、第２のデバイス機能に関するデバイス情報を取得するためのＵＲＬの情報等が記載されている。
【００４７】
送信側の通信装置１０１のコマンド処理部２０１ａがアドバタイズメッセージを受信側の通信装置１１１から受信すると（Ｓ５１２のＹｅｓ）、通信装置１１１が第２のデバイス機能の提供を開始したことを認識することができるので、当該アドバタイズメッセージに記載されているデバイス情報のＵＲＬに対してデバイス情報の取得要求を行う（Ｓ５１３）。
【００４８】
受信側の通信装置１１１のコマンド処理部２０１ａは、デバイス情報の取得要求を受信すると（Ｓ５２４のＹｅｓ）、それに対する応答としてデバイス情報を送信側の通信装置１０１に送信する（Ｓ５２５）。尚、ここで送信するデバイス情報には、デバイス名称（ＦｒｉｅｎｄｌｙＮａｍｅ）が記載されるが、この名称は、「新規Ｗ６２０Ｔ」であるものとする。
【００４９】
送信側の通信装置１１１では、Ｓ５１３でのデバイス情報取得要求により正常にデバイス情報を取得できると（Ｓ５１４のＹｅｓ）、表示制御部２０１は当該デバイス情報を用いて、装置選択画面に通信装置１１１の第２のデバイス機能に関する項目を追加する（Ｓ５１５）。
【００５０】
図６は、Ｓ５１５で表示制御部２０１ｂが表示させる装置選択画面の例である。Ｓ５１１で表示される画面である図３（ａ）の画面と比較すると、第２のデバイス機能に対応する「新規Ｗ６２０Ｔ」という項目が増えていることがわかる。これにより、Ｓ５２１での操作前後で装置名称が追加された項目が、当該通信装置１１１（のコンテンツ受信機能）に対応する項目であることを認識することができるようになる。
【００５１】
また、本実施形態で使用しているアドバタイズメッセージや、デバイス情報の取得要求等の各種コマンド／処理は、ＵＰｎＰ規格準拠のものであるため、送信側の通信装置１０１に特別な実装を行わずとも、受信側の通信装置１１１がサービス立ち上げ等の処理を行うだけで対応することができるようになる。
【００５２】
更に、第１のデバイス機能は受信機能を持たず（即ち、第１のデバイス機能はコンテンツデータのアップロードを受け付けない）、第２のデバイス機能だけが受信機能を有する（第２のデバイス機能はコンテンツデータのアップロードを受け付ける）こととすれば、ユーザが誤ってコンテンツデータのアップロードを行うことを抑制することが可能となる。
【００５３】
尚、上述の実施形態においては、第１のデバイス機能のデバイス情報と第２のデバイス機能のデバイス情報とでデバイス名称（ＦｒｉｅｎｄｌｙＮａｍｅ）を変更することとしているが、これに限られるものではない。例えば、第１のデバイス機能のデバイス情報と、第２のデバイス機能のデバイス情報とでデバイス画像（ＤｅｖｉｃｅＩｃｏｎ）を変化させるようにしてもよい。
【図面の簡単な説明】
【００５４】
【図１】本発明の第１の実施形態に係る通信装置が使用される通信システムの構成を示す図。
【図２】本発明の第１の実施形態に係る通信装置の構成を示す図。
【図３】本発明の第１の実施形態に係る通信装置の通信相手装置が表示する表示画面例を示す図。
【図４】本発明の第１の実施形態に係る通信装置の処理の流れを示す図。
【図５】本発明の第２の実施形態に係る通信装置の処理の流れを示す図。
【図６】本発明の第２の実施形態に係る通信装置の通信相手装置が表示する表示画面例を示す図。
【符号の説明】
【００５５】
１０・・・通信システム
１０１、１１１、１１２、１１３・・・通信装置
１２０・・・ネットワーク
２０１・・・制御部
２０１ａ・・・コマンド処理部
２０１ｂ・・・表示制御部
２０２・・・操作部
２０３・・・表示部
２０４・・・記憶媒体
２０４ａ・・・コンテンツデータ
２０５・・・デジタルインタフェース部
２０６・・・受信制御部
２０７・・・書込部
２０８・・・読込部
２０９・・・送信制御部
【図１】
2010086353.tif 000003
【図２】
2010086353.tif 000004
【図３】
2010086353.tif 000005
【図４】
2010086353.tif 000006
【図５】
2010086353.tif 000007
【図６】
2010086353.tif 000008